(57)【要約】【課題】お気に入りのパンツを利用出来るおむつカバーを提供する。【解決手段】パンツ１６内で両端がパンツ１６の前後部分に取り外し可能に係止される支持帯１０からなるおむつカバー。支持帯１０の内面１０ｂには、選択的に、おむつ１４または失禁パット１５のいずれか１方が取り外し可能に保持される。【選択図】  図１
2004275692.tif 000002
【特許請求の範囲】
【請求項１】
パンツ内で両端が前記パンツの前後部分に取り外し可能に係止される支持帯であって、内面におむつまたは失禁パットの少なくとも一方を取り外し可能に保持する支持帯からなるおむつカバー。
【請求項２】
前記支持帯は前記おむつおよび失禁パットを選択的に保持可能である請求項１記載のおむつカバー。
【請求項３】
前記支持帯の前記内面には、該支持帯の長手方向に互いに間隔をおいて配置された第１の一対の帯状部材であってその両端が支持帯に結合され該両端の中間部が前記支持帯の内面との間で前記おむつを取り外し可能に挟持する第１の一対の帯状部材と、該第１の一対の帯状部材間で前記支持帯の長手方向に互いに間隔を置いて配置された第２の一対の帯状部材であってその両端が支持帯に結合され該両端の中間部が前記支持帯の内面との間で前記失禁パットを取り外し可能に挟持する第２の一対の帯状部材とが設けられている請求項１記載のおむつカバー。
【請求項４】
前記支持帯はその両端の外面でマジックテープを介して前記パンツに取り外し可能に係止されている請求項１記載のおむつカバー。
【請求項５】
前記支持帯の中央部の両側には、ギャザーが施されており前記おむつまたは失禁パットは前記支持帯の前記両ギャザー間を横切って配置されている請求項４記載のおむつカバー。
【発明の詳細な説明】
【０００１】
【発明の属する技術分野】
この発明は、介護用品に関し、特に、失禁パットあるいはおむつをパンツに取り外し可能に装着するためのおむつカバーに関する。
【０００２】
【従来の技術】
従来の介護用品の一つに、介護用パンツがある（例えば、特許文献１）。この介護用パンツでは、パンツ本体は、左右脇線の分断線から前身頃を展開可能である。パンツ本体内には、おむつ支持帯が縫合されており、このおむつ支持帯にパットを挿入可能である。パンツ本体は、前身頃が展開可能であることから、寝たままの姿勢でパットが装着されたパンツ本体の着脱を容易に行うことができる。
【特許文献１】
特開２０００−４５１０１号公報
【０００３】
【発明が解決しようとする課題】
しかしながら、パットを保持する支持帯は、パンツ本体に縫合されており、このパンツ本体は、前身頃を展開可能な特殊なパンツの形態であることから、外見上、介護パンツであることが一目瞭然である。そのため、これを着用する者に強い抵抗感を与えることがある。
そこで、この発明の目的は、着用者に抵抗感を持たせることなく使用出来るように、自由にお気に入りのパンツを利用できるおむつカバーを提供することにある。
【０００４】
【課題を解決するための手段】
この発明に係るおむつカバーは、パンツ内で両端が前記パンツの前後部分に取り外し可能に係止される支持帯であって、内面におむつまたは失禁パットの少なくとも一方を取り外し可能に保持する支持帯からなることを特徴とする。
【０００５】
内面におむつまたは失禁パットの少なくとも一方を取り外し可能に保持する支持帯は、普通の下着の形態のパンツに取り外し可能に係止されることから、日頃使用しているお気に入りのパンツを利用して、このパンツにおむつまたは失禁パットを保持するおむつカバーを装着することができる。そのため着用者に強い抵抗感を与えることなく使用してもらえる。
【０００６】
前記支持帯は前記おむつおよび失禁パットを選択的に保持可能とすることでき、これにより着用者の状態に応じておむつまたは失禁パットのうち、最適なものを選択して使用することができる。
【０００７】
前記支持帯の前記内面に、おむつのための第１の一対の帯状部材と、失禁パットのための第２の一対の帯状部材を設けることができる。第１の一対の帯状部材は、前記支持帯の長手方向に互いに間隔を置いて配置され、その両端が該支持帯に結合される。第１の一対の帯状部材は、その両端の中間部が前記支持帯の内面との間で前記おむつを取り外し可能に挟持する。また、第２の一対の帯状部材は、前記第１一対の帯状部材間で前記支持帯の長手方向に互いに間隔をおいて配置され、その両端が前記支持帯に結合される。第２の一対の帯状部材は、その両端の中間部が前記支持帯の内面との間で前記失禁パットを取り外し可能に挟持する。
【０００８】
この第１および第２の各帯状部材がそれぞれに対応するおむつあるいは失禁パットをはさみ込むことにより、それぞれを比較的容易に取り外し可能にしかも所定位置に確実に位置決めることが可能となる。従って、比較的単純な構成により、おむつあるいは失禁パットのいずれか一方を取り外し可能に確実に所定個所に保持することができるので、それぞれの状況に応じて、おむつおよび失禁パットを使い分けることができる。また、第１の一対の帯状部材は、市販の紙おむつおよび各家庭で作られる布製おむつの如何に拘わらず、そのいずれをもとり外し可能に確実に所定個所に保持することを可能とする。
【０００９】
前記支持帯はその両端の外面でマジックテープを介して前記パンツに取り外し可能に係止することができる。このマジックテープの雄部または雌部のいずれか一方をお気に入りのパンツのウエスト部分に固着し、他方を前記支持帯に固着することにより、前記支持帯をお気に入りのパンツに容易に取り外し可能に係止することができるので、お気に入りのパンツに複雑な加工を施すことなく、このパンツを利用することができる。
【００１０】
前記支持帯の中央部の両側にギャザーを施すことができ、前記支持帯の前記両ギャザー間を横切って、おむつまたは失禁パットを配置することができる。ギャャザーは、その間に配置されるおむつあるいは失禁パットからの尿もれを防止する作用をなす。
【００１１】
【発明の実施の形態】
以下、この発明を図示の実施の形態に沿って詳細に説明する。
図１は、この発明に係るおむつカバー１０を展開して示し、図２はおむつカバー１０を使用状態の形態を斜視図で示す。おむつカバー１０は、図１および図２に示すように、例えば３０ｃｍ×７２ｃｍの各長さ寸法を有する全体に矩形形状の支持帯からなり、この支持帯１０の外面１０ａの両端には、マジックテープの雄部１１ａが支持帯１０の幅方向に沿って取り付けられている。また、支持帯１０の中央部には、支持帯１０の幅方向寸法を絞り込むためのギャザー１２が設けられている。
【００１２】
支持帯１０の内面１０ｂには、１対の第１の帯状部材１３ａ、１３ａと、１対の第２の帯状部材１３ｂ、１３ｂとが設けられている。両帯状部材１３ａ、１３ａおよび１３ｂ、１３ｂは、例えば３ｃｍの幅寸法を有する帯状部材からなる。
一対の第１の帯状部材１３ａ、１３ａは、支持帯１０の両端の近傍で、該支持帯の端部から例えば６ｃｍの間隔ｔをおいて支持帯１０の幅方向に沿って互いに平行に配置されている。一対の第２の帯状部材１３ｂ、１３ｂは、第１の帯状部材１３ａの長さ寸法よりも小さな長さ寸法を有し、ギャザー１２を間にして、両第１の帯状部材１３ａ、１３ａ間で互いに間隔をおいて支持帯１０の幅方向に配置されている。
【００１３】
第１および第２の各帯状部材１３ａ、１３ａおよび１３ｂ、１３ｂは、図３および図４に示すように、それらと支持帯１０との間で、それぞれの両端間におむつ１４および該おむつよりも小型の失禁パット１５を挟持するように、それらの端部で支持帯１０に固着されている。これにより、第１の帯状部材１３ａ、１３ａはおむつ１４を支持帯１０に取り外し可能に保持するおむつ止めとして機能し、第の２帯状部材１３ｂ、１３ｂは小型の失禁パット１５を取り外し可能に保持するパット止めとして機能する。
【００１４】
また、支持帯１０の中間部に設けられたギャザー１２は、支持帯１０の中間部の両縁の所望領域にゴムのような弾性部材を縫い込むことにより形成することができる。ギャザー１２は、尿漏れを防止する。
第１の帯状部材１３ａ、１３ａに取り外し可能に保持されるおむつ１４は、紙おむつあるいは布おむつを使用することができる。布おむつを使用するとき、その外面に防水加工を施し、肌に直接触れる内面にはポリエステルのような滑らかな布を使用することが望ましい。失禁パット１５は、市販のものを使用することができる。
【００１５】
必要に応じて、おむつ１４あるいは失禁パット１５が選択され、おむつ１４が選択されたときは図３に示したようにおむつ１４が第１の帯状部材１３ａ、１３ａで支持帯１０に保持される。また、失禁パット１５が選択されたときは図４に示したように失禁パット１５が第２の帯状部材１３ｂ、１３ｂで支持帯１０に保持される。
【００１６】
おむつ１４又は失禁パット１５が選択的に保持された支持帯１０が係止されるパンツのような下着１６には、図５に示すように、支持帯１０を着脱可能に係止するためのマジックテープの雌部１１ｂが上縁の前身ごろおよび後ろ身ごろに沿って縫合されている。このマジックテープ雌部の１１ｂは、支持帯１０の外面１０ａに設けられたマジックテープの雄部１１ａと共同して、支持帯１０を下着１６に取り外し可能に係止する手段を構成する。
【００１７】
おむつ１４または失禁パット１５が選択的に保持された支持帯１０は、図６に示すように、支持帯１０に設けられたマジックテープの雄部１１ａと下着１６に設けられた雌部１１ｂとの係合により、おむつ１４または失禁パット１５が肌に触れる内側となるように下着１６内に装着される。
【００１８】
おむつ１４または失禁パット１５を取り替えるとき、下着１６から支持帯１０を取り外すことにより、おむつ１４あるいは失禁パット１５を支持帯１０から用意に取り外すことができる。また、新たなおむつ１４または失禁パット１５を支持帯の１０対応するおむつ止め１３ａまたはパット止め１３ｂに挟み込むことにより、それぞれの適正位置に容易かつ正確に保持することができる。
【００１９】
下着１６に支持帯１０を取り外し可能に取り付ける係止手段として、マジックテープの例を示した。支持帯１０にマジックテープの雄部１１ａを設け、下着１６に雌部１１ｂを設けたが、支持帯１０に雌部１１ｂを設け下着に１６その雄部１１ａを設けることができる。またマジックテープ以外に、ホックあるいはスナップボタン等を係止手段として用いることができる。
【００２０】
この発明に係るおむつカバー１０によれば、前記したように、所望の下着１６に係止手段の一方を設けることにより、この下着１６に支持帯１０を介しておむつあるいは失禁パットを取り外し可能に装着することができる。
従って、日頃着用しているお気に入りの下着１６にマジックテープのような係止手段を固着するのみで、この手持ちのお気に入りの下着に大きな加工を施すことなくこれを利用することができるので、違和感なくおむつあるいは失禁パットを装着することができる。
【００２１】
【発明の効果】
この発明によれば、前記したように、現在手持ちのお気に入りのパンツに大きな加工を施すことなくこれを利用することが出来るので、違和感なくおむつあるいは失禁パットを装着することができる。
【図面の簡単な説明】
【図１】本発明に係る支持帯を展開して示す正面図である。
【図２】本発明に係る支持帯の使用形態を示す斜視図である。
【図３】本発明に係る支持帯におむつを装着した例を示す図１と同様な図面である。
【図４】本発明に係る支持帯に失禁パットを装着した例を示す図１と同様な図面である。
【図５】本発明に係る支持帯が装着される下着を概略的に示す外観図である。
【図６】本発明に係る支持帯が装着された状態を示す図５と同様な図面である。
【符号の説明】
１０    （支持帯）おむつカバー
１０ａ  支持帯の外面
１０ｂ  支持帯の内面
１１（１１ａ、１１ｂ）  （係止手段）マジックテープ
１２    ギャザー
１３ａ  （第１の帯状部材）おむつ止め
１３ｂ  （第２の帯状部材）失禁パット止め
１４    おむつ
１５    失禁パット
１６    （パンツ）下着
【図１】
2004275692.tif 000003
【図２】
2004275692.tif 000004
【図３】
2004275692.tif 000005
【図４】
2004275692.tif 000006
【図５】
2004275692.tif 000007
【図６】
2004275692.tif 000008